(57)【特許請求の範囲】
【請求項１】
硬質材よりなる基板と該基板に固定された複数のノズルパイプとを有しており、前記基板には多数のネジ穴が貫設され、前記ノズルパイプの基端には多角穴付きの中空ナットが固着され、該中空ナットの外周面には前記ネジ穴に螺合するネジが形成されており、前記中空ナットのネジが前記ネジ穴に螺合しており、前記基板のネジ穴及び前記中空ナットのネジがテーパーネジとして形成されていることを特徴とする離型剤のスプレー装置のノズルヘッド。
【発明の詳細な説明】
【０００１】
【従来の技術】
ダイカスト工程で使用される金型等においては成形品の離型直後に、圧搾空気を噴射して残留屑を除去したり、あるいは離型剤を噴射、付着させるために、基板に多数のパイプを貫設したいわゆるノズルカセットと称されるノズルヘッドを装着した自動スプレー装置が使用されている。
【０００２】
前記従来のノズルカセットと称されているノズルヘッドは、図５および図６に示されるごとく、金属製の基板ＡにノズルパイプＢを取り付ける多数のテーパネジ穴Ｃを貫設し、このテーパネジ穴ＣにノズルパイプＢを螺着、固定している。
【０００３】
ノズルパイプＢは、基端Ｄに、六角頭ＥとテーパネジＦを形成された中空ボルトＧを外嵌され、ろう付け等の手段で固着されている。
【０００４】
前記ノズルパイプＢは、基板Ａの裏面Ｈから、テーパネジ穴Ｃに中空ボルトＧのテーパネジＦをネジ込むことにより、図５、図６に示されるように列設される。
【０００５】
前記従来のノズルヘッドを組み立てるには、個々の中空ボルトＧの六角頭Ｅに、スパナまたはボックススパナを係合させてネジ込まねばならず、該スパナ等の回動余裕間隙Ｉを形成する必要があり、単位面積Ｘ、例えば図６に示す点線Ｊ、Ｋと基板Ａの周辺Ｌ、Ｍとで囲まれた部分へのノズルパイプＢの取付本数に制限が存する問題がある。
【０００６】
また螺着、固定されているノズルパイプＢ群中に交換を要するノズルパイプＢが発生した場合、当該ノズルパイプＢがノズルパイプ群中の中央付近に発生した場合には、周囲の他のノズルパイプＢを外さない限り交換作業が行い得ない問題があり、ノズルパイプＢの螺着、固定、交換の作業性が著しく悪く、交換を要するノズルパイプＢが発生しても、交換せずに、離型剤等の噴射、付着ならびに圧搾空気の噴射を継続するケースが生じ、最終的には不良成形品の発生を惹起させる等の問題を生起させている。
【０００７】
【発明が解決しようとする課題】
前記従来の技術の有する諸問題点に鑑み、本発明は、単位面積内に螺着、固定されるノズルパイプの本数を、従来品に比し、倍数近く増加させることができると共に、ノズルパイプの螺着、固定、交換等の作業性が良好であり、ノズルパイプ群の中央近くに存するノズルパイプであってもそのノズルパイプのみを簡単に取り外しうるノズルヘッドを提供することを課題としている。
【０００８】
【課題を解決するための手段】
前記課題を解決するため、本発明の離型剤のスプレー装置のノズルヘッドは、硬質材よりなる基板と該基板に固定された複数のノズルパイプとを有しており、前記基板には多数のネジ穴が貫設され、前記ノズルパイプの基端には多角穴付きの中空ナットが固着され、該中空ナットの外周面には前記ネジ穴に螺合するネジが形成されており、前記中空ナットのネジが前記ネジ穴に螺合しており、前記基板のネジ穴及び前記中空ナットのネジがテーパーネジとして形成されている。
【０００９】
【作用】
本発明の構成によると、ノズルパイプに固着されている中空ナットの多角穴に多角レンチを嵌入して回動させるのみで、基板のネジ穴にノズルパイプを螺着、固定できるので、基板裏面から個々のネジ穴へノズルパイプを挿したのち、多角レンチで中空ナットを回動させるのみでノズルパイプの螺着、固定あるいは取り外しができ、基板に対するノズルパイプの着脱作業がきわめて容易となり、ノズルパイプの交換も簡単に行いうる。
【００１０】
さらに基板のネジ穴まわりに、中空ボルトの六角頭をスパナ等で回動させる余裕間隙を形成する必要がないので、基板の単位面積当りのノズルパイプの取付本数を著しく増大させることができる。
【００１１】
【実施例】
図１ないし図４は、実施の一例を示しており、アルミ製の基板１に銅製のノズルパイプ２が中空ナット３で固定されている。
【００１２】
基板１に貫設されている個々のネジ穴４は、図５に示すネジ穴Ｃと実質的に同一構造であり、数は異なるものの基板１の上下を逆にしたものに相当する。
【００１３】
ノズルパイプ２のパイプ基端５に、ろう付け手段で固着されている中空ナット３は外周面に、前記ネジ穴４に螺合できるネジ６が形成され、ノズルパイプ２の固着側と反対の開口部に多角穴、図示例では、一例として六角穴７が形成され、この六角穴７がノズルパイプ２に連通している。
【００１４】
図２は、一部のネジ穴４Ａ、４Ｂにノズルパイプ２を取り付けずに示したノズルヘッド８の下面を示す略示斜面図であり、図３は基板１のみの下面図であり、図４は図３に示すものの右側面図である。
【００１５】
図示例の場合、図３から明かなごとく、図６に示す単位面積Ｘと同一広さの単位面積Ｘ内に２４個のテーパネジ穴４が開設され、図６に示す従来例の倍以上のノズルパイプ２の取り付けが可能である。
【００１６】
図３に示される実施例ではネジ穴４の群Ｙは、ダイカスト金型に対する離型剤の噴射用のノズルパイプ２が固着され、ネジ穴４の群Ｚは、離型剤噴射に先立ちダイカスト金型に圧搾空気を噴射するノズルパイプ２が固着される。
【００１７】
図示実施例ではネジ穴４およびネジ６としてテーパネジが使用されているが、テーパネジに限定されるものではない。
【００１８】
本発明において、ネジ穴４およびネジ６の形状、多角穴の形状、大きさ、ネジ穴４の配列等が図示例に限定されないことは勿論である。
【００１９】
【発明の効果】
本発明は、以上説明した構成であり、基板１のネジ穴４へノズルパイプ２を挿入し、中空ナット３のネジ６を多角穴の一例たる六角穴７へ挿入した多角レンチの一例たる六角レンチの回動でネジ穴４へ螺合させれば、基板１に対するノズルパイプ２の螺着、固定が完了するので基板１に対するノズルパイプ２の取付作業が著しく簡単となり、ノズルヘッド組立の作業効率を増大させうる効果を奏する。
【００２０】
ノズルパイプ２の固定が、基板１の上面で行われ、該上面に多角穴の一例たる六角穴７が露出しているので、ノズルパイプ２群中のいずれかの位置の六角穴７へでも多角レンチの一例たる六角レンチを簡単に嵌入させうるので、ノズルパイプ２の交換のための脱着が容易となり、ノズルヘッド８の保守、管理作業が簡単となる等の効果も有している。
【００２１】
さらに、ノズルパイプ２の固定のためにスパナを使用する必要がないので、基板１に、ネジ穴４を密接して貫設することが可能となり、基板１の単位面積当りのノズルパイプ２の取付本数を従来品の倍以上に多くしうる効果も有している。
【図面の簡単な説明】
【図１】実施の一例たるノズルヘッドの一部の略示縦断面図である。
【図２】図１に示されるノズルヘッドの下面の略示斜視図である。
【図３】基板の下面図である。
【図４】図３に示すものの右側面図である。
【図５】従来品の一例の図１と同様の略示縦断面図である。
【図６】従来のノズルヘッドの略示下面図である。
【符号の説明】
１  基板
２  ノズルパイプ
３  中空ナット
４  ネジ穴
５  パイプ基端
６  ネジ
７  多角穴の一例たる六角穴
８  ノズルヘッド
【図１】
0003580842.tif 000002
【図２】
0003580842.tif 000003
【図３】
0003580842.tif 000004
【図４】
0003580842.tif 000005
【図５】
0003580842.tif 000006
【図６】
0003580842.tif 000007